(57)【要約】  筆記用ボール（５）を着座する空洞（９）が設けられるペン先（４）の毛細流路（３）へ接続される孔（１０）と連通するインク溜め（２）を備えるボールペン（１）であって、このボール（５）は、ボールペン（１）の縦方向軸（Ｎ−Ｎ）と整合する直線部分（６ｒ）で終端する圧縮弾性バネ（６）のスラストの結果として上述の空洞（９）の保持縁部（９ｔ）へ押付けられたままであり、またそのバネの自由端部（６ｐ）は、上述のボール（５）と接触するボールペン（１）が説明される。本発明に従うボールペン（１）において、上述の毛細流路（３）には、その内側に手段（７）が設けられ、その手段は、バネ（６）の上述の直線部分（６ｒ）と接触すると、ボールペン（１）の上述の縦方向軸（Ｎ−Ｎ）に関して、その直線部分が傾斜するのを防止する。【選択図】      図２
2007516872.tif 000002
【特許請求の範囲】
【請求項１】
筆記用ボール（５）を着座する空洞（９）が設けられるペン先（４）の毛細流路（３）へ接続される孔（１０）と連通するインク溜め（２）を備えるボールペン（１、１１）であって、このボール（５）は、ボールペン（１）の縦方向軸（Ｎ−Ｎ）と整合する直線部分（６ｒ）で終端する圧縮弾性バネ（６）のスラストの結果として上述の空洞（９）の保持縁部（９ｔ）へ押付けられたままであり、またそのバネの自由端部（６ｐ）は、前記ボール（５）と接触するボールペン（１）において、前記毛細流路（３）には、その内側に手段（７、７′）が設けられ、その手段は、バネ（６）の前記直線部分（６ｒ）と接触すると、ボールペン（１）の前記縦方向軸（Ｎ−Ｎ）に関して、その直線部分が傾斜するのを防止することを特徴とするボールペン（１）。
【請求項２】
前記毛細流路（３）には、バネ（６）の前記直線部分（６ｒ）により軸方向に通過される狭い区域（７、７′）が設けられ、その区域は、最小量の遊びで、ほぼ相補的な仕方で、前記部分を含むような寸法で設計されるので、上述の縦方向軸（Ｎ−Ｎ）に関して、その部分が傾斜位置になるのを実質的に防止することを特徴とする、請求項１に記載のボールペン。
【請求項３】
１つ以上の通し溝（８ｉ）が、前記狭い区域（７）の領域に形成され、前記通し溝は、内側に前記ボールが着座される空洞（９）を、前記インク溜め（２）が連通する孔（１０）へ接続する、請求項２に記載のボールペン。
【請求項４】
前記狭い区域は、円筒形制約部分（７）により形成される、請求項２または３のいずれかに記載のボールペン。
【請求項５】
前記狭い区域は、ボールペン（１）の縦方向軸（Ｎ−Ｎ）と一致する軸を有する毛細流路（３）の内側へ向けて突出る半円形断面を有するリング（１２）により形成される、請求項２または３のいずれかに記載のボールペン。
【発明の詳細な説明】
【技術分野】
【０００１】
本発明は、ボールペンの技術分野に関する。知られているように、これらのペンは、筆記用ボールが内側に着座される空洞を有するペン先の毛細流路へ接続される通常円筒形の孔と連通するインク溜めを備える。
【０００２】
このボールは、ペンが筆記していないとき、インクが流出するのを防止するために、上述のペン先上に形成される保持縁部へ押付けられたままであり、またこの機能は、圧縮弾性バネが終端する直線部分の自由端部の手段により、ボールを押付ける上述のバネにより実施される。ペンが、使用されるとき、筆記する表面へ押付けられるので、上述のボールは、ペン先の内側へ向けて押され、そのバネの抵抗に打勝つと、筆記に使用されるインクが外側へ流出するに足る分だけ、保持縁部から変位される。
【背景技術】
【０００３】
これまで記載された種々の構成部材の寸法が、知られているように、非常に小さいので、バネの上述の直線部分は、非常に小さい径（１０分の数ミリメートルの程度）を有し、また筆記中に軸方向に押されるとき、バネの残りの部分に関して屈曲してボールの表を摺動することが多く、およびボールペンの縦方向軸と一致する初期位置から逸脱して、上述の保持縁部の周辺に位置するボールの側面点上に自由端部が配置される状態で位置決めされる。
【０００４】
この位置において、上述のボールを保持縁部へ横方向へ押付けたままにする、かなりの横方向成分を有する力を、バネの直線部分は、筆記中にボールへ加え、また当然の結果として遊びが保持縁部とボールとの間に存在するので、インクが流出する環状断面は、ペンの軸に関して対称的ではなく、また一定である代わりに、ボールの周りに円周方向に進むとゼロから最大値まで変わる長さを有し、上述の最大値において、インクの粘性と環状流れ断面の均一な幅とに従って計算される、設計段階中に考えられた流量よりも大きい流量でインクが流出できるサイズに達する。
【０００５】
上述のことにより、ランダムに生じる斑点の外観が、筆記線に沿って形成されて、必然的にペンの不良品質が付随する非美観的な効果を生成する。
【０００６】
さらに、上述の斑点の領域において、通常の厚さよりも大きいゾーンを形成するインクは、迅速に乾くことができないし、また不用意に、手または腕で上述の斑点にすり当てるならば、その斑点は広がり、非美観的な汚れを生じ、かつ手と腕を汚す結果となる。
【発明の開示】
【発明を解決するための手段】
【０００７】
本出願の対象の発明者は、上述の問題への解決策を提供するのを意図し、かつ上述の型式のボールペンを考案した。そのペンにおいて、ボール押圧バネの上述の直線部分が通過する上述の毛細流路には、その部分が、ペンの縦方向軸に関して傾斜するのを防止できる手段が設けられる。
【０００８】
本発明の幾つかの実施態様において、これらの手段は、最小量の遊びで、ほぼ相補的な仕方で、バネの上述の直線部分が内側に挿入される毛細流路の狭い区域を生成する拡大部分から構成される。
【発明を実施するための最良の形態】
【０００９】
したがって、本発明の対象は、付属の請求項１に記載されるボールペンから構成される。本発明に従うボールペンの２つの好ましい実施態様を、添付図面も参照して、ここで詳細に説明する。
【００１０】
図１を検討すると、そこにおいて、最新技術に従うボールペン１０１が、どのようにしてインク溜め（その小部分だけが概略示される）を備えるかが分かり、そのインク溜めは、筆記用ボール５を着座させ、かつ内側に毛細流路３が終端する空洞９が設けられるペン先４の上述の毛細流路３へ接続される円筒形孔１０と連通する。
【００１１】
このボールは、ボールペン１０１の縦方向軸Ｍ−Ｍと整合する直線部分６ｒにおいて終端する圧縮弾性バネ６により加えられるストレスにより、上述の空洞９の外側へ向けて輪郭上に形成される保持縁部９ｔへ押付けられたままであり、そのバネの自由端部６Ｐ（連続線で示される）が、ボール５と接触している。この直線部分６ｒは、円筒形毛細流路３を同軸で通過し、および図に示されるように、ボールペン１０１が筆記に使用されるとき、ボールに作用する力Ｑが、点Ｐにおいてボール５へ伝達され、直線部分６ｒがバネ６の残りの部分へ接続される点Ｏに関して直線部分が屈曲するので、直線部分は、上述の軸Ｍ−Ｍに関して傾斜（図面において右へ）する。
【００１２】
その結果、直線部分６ｒは、その前方への移動から、上述の不利な効果を生じる、かなりの横方向成分を有する非軸方向反作用力をボール５上に生じる。
【００１３】
図２において、代わりに、本発明に従うボールペンの実施態様１の第１の例において、上述の現象が、毛細流路３内に円筒形の狭い区域７を生成することにより、どのようにして避けられるかが分かり、その狭い区域は、ペンの縦方向軸Ｎ−Ｎと一致する軸を有し、バネ６の直線部分６ｒにより通過され、かつバネのものを実質的に補足する寸法と形状を有する（ペン先４が製造される材料の熱膨張とは僅かに異なる、バネ６が製造され材料の熱膨張を可能にさせる、図面では誇張される非常に少量の遊びは別として）。上述の状態において、バネ６の直線部分６ｒにより部分的に閉ざされる上述の狭い区域７を通るインクの流れに閉塞があると思われるので、発明者は、ボール５を着座する上述の空洞９をインク溜め２が連通する上述の孔へ接続する１つ以上の半径方向通し溝８ｉを形成する対応手段を考えた。
【００１４】
図３には、本発明に従うボールペンの実施態様１１の第２の例において、実施態様の第１の例の説明で述べた種々の構成部材の全てが、上述の狭い区域７′を除き、どのように同一であるかが示され（およびこの理由のために、同一の参照番号で表示される）、狭い区域７′は、この場合に、円筒形制約部分から構成されないが、内側へ突出る半円形断面を有し、かつボールペン１１の縦方向軸Ｎ−Ｎと一致する軸を有するリング１２の手段により、毛細流路３の内側に形成される。
【００１５】
図２と３において図示される両方の場合において、上述の狭い区域７、７′は、その形態とは関係なく、ほぼ固定されたままであり、すなわち、ボールペン１、１１とバネ６の直線部分６ｒの縦方向軸Ｎ−Ｎに沿って配向され、したがってそのバネの自由端部６ｐは、ボール５を常に中心位置に軸方向に押すので、上述の欠点が避けられる。
【００１６】
したがって、本発明に従うボールペンにより、発明者の事前明示された目的、すなわち、一層均一であり、かつ斑点および／または凹凸の縁部を形成しない筆記線を有するボールペンを提供する目的を達成することができた。
【図面の簡単な説明】
【００１７】
【図１】筆記のために使用されている、現在の最新技術に従って設計されたボールペンの幾つかの部材を通る拡大した縦方向断面図である。
【図２】本発明に従うボールペンの実施態様の第１の例の幾つかの部材を通る拡大した縦方向断面図である。
【図３】本発明に従うボールペンの実施態様の第２の例の幾つかの部材を通る拡大した縦方向断面図である。
【図１】
2007516872.tif 000003
【図２】
2007516872.tif 000004
【図３】
2007516872.tif 000005
【国際調査報告】
2007516872.tif 000006
2007516872.tif 000007
2007516872.tif 000008